(57)【特許請求の範囲】
【請求項１】
像担持体と、該像担持体に対向して配設された転写搬送ベルト装置と、前記像担持体上の画像にタイミングを合わせて前記転写搬送ベルト装置に記録材を送出するレジスト手段とを備える画像形成装置であって、前記転写搬送ベルト装置に対向して複数の像担持体が並列配置され、各像担持体上に形成した画像を前記転写搬送ベルト装置により搬送される記録材上に重ね転写してカラー画像の形成が可能な画像形成装置において、
前記転写搬送ベルト装置は、ベルト幅方向の両側に配置される１対の固定フレームと、該固定フレームにそれぞれ支持される第１フレーム及び第２フレームとを有し、
前記第１フレームは、前記並列配置された複数の像担持体のうちの最下流の１つの像担持体に対応する位置にあるフレームであり、
前記第２フレームは、前記並列配置された複数の像担持体のうちの前記最下流の１つの像担持体よりも上流側にある像担持体に対応する位置にあるフレームであり、該第２フレームが前記固定フレームに揺動可能に支持されており、
前記固定フレームには前記第２フレームを揺動させるための偏心カムが軸支されるとともに、前記転写搬送ベルト装置の無端ベルトが掛け渡される支持ローラのうちの一つであって前記レジスト手段からの記録材入口部に配置される入口ローラ及び該入口ローラに対向配置される対向ローラが、前記偏心カムと同軸上に設けられたブラケットを介して揺動可能に支持されており、
前記偏心カムの回動により前記第２フレームを揺動させるとともに前記ブラケットを介して前記入口ローラ及び前記対向ローラが揺動され、前記無端ベルトの前記複数の像担持体に対向する走行辺が前記複数の像担持体の全てに接触された場合に前記転写搬送ベルト装置による記録材搬送方向と前記レジスト手段による記録材送出方向がほぼ同一となるように構成されていることを特徴とする画像形成装置。
【請求項２】
前記第２フレームに、前記無端ベルトをベルトループの内側から付勢する補助ローラが装着されていることを特徴とする、請求項１に記載の画像形成装置。
【請求項３】
前記第１フレームに前記無端ベルトを駆動する駆動ローラが支持され、該駆動ローラが前記複数の像担持体の下流側に配置されることを特徴とする、請求項１に記載の画像形成装置。
【請求項４】
前記転写搬送ベルト装置の姿勢を検出する検出手段を有し、該検出手段の出力に基づいて前記転写搬送ベルト装置の姿勢を制御することを特徴とする、請求項１〜３のいずれか１項に記載の画像形成装置。
【請求項５】
前記対向ローラに記録材吸着バイアスが印加されることを特徴とする、請求項１に記載の画像形成装置。
【請求項６】
前記転写搬送ベルト装置は、記録材入口側と出口側で高さが異なるよう、装置本体内で斜め配置されていることを特徴とする、請求項１〜５のいずれか１項に記載の画像形成装置。
【発明の詳細な説明】
【０００１】
【発明の属する技術分野】
本発明は、複写機、プリンタ、ファクシミリ等の画像形成装置に関する。
【０００２】
【従来の技術】
複写機、プリンタ、ファクシミリ等の画像形成装置において、回転駆動されるベルト上に記録材を保持し、像担持体の回転に合わせて記録材を搬送しながら像担持体上に形成された顕画像を記録材に転写させるための転写搬送ベルト装置を備えるものがある。そして一般的には、レジストローラ等のレジスト手段によりタイミングを取って、像担持体と転写搬送ベルト装置における転写部に記録材を送り出すように構成されている。
【０００３】
【発明が解決しようとする課題】
しかしながら、レジストローラから転写搬送ベルト装置への記録材の受け渡し過程で記録材の搬送に影響を及ぼす場合がある。例えば、腰の強い記録材などの場合、記録材の後端がレジストローラから抜けた瞬間にわずかな振動などが生じ、結果的に、記録材に対する画像位置にバラツキが生じるという問題がある。この問題は、搬送される用紙上に複数色の画像を順次重ね合わせる方式のカラー画像形成装置においては、色ずれという大きな問題となる。
【０００４】
本発明は、従来の画像形成装置における上述の問題を解決し、転写搬送ベルト装置によって搬送される記録材への悪影響を防止した画像形成装置を提供することを課題とする。
【０００５】
【課題を解決するための手段】
前記の課題は、本発明により、像担持体と、該像担持体に対向して配設された転写搬送ベルト装置と、前記像担持体上の画像にタイミングを合わせて前記転写搬送ベルト装置に記録材を送出するレジスト手段とを備える画像形成装置であって、前記転写搬送ベルト装置に対向して複数の像担持体が並列配置され、各像担持体上に形成した画像を前記転写搬送ベルト装置により搬送される記録材上に重ね転写してカラー画像の形成が可能な画像形成装置において、前記転写搬送ベルト装置は、ベルト幅方向の両側に配置される１対の固定フレームと、該固定フレームにそれぞれ支持される第１フレーム及び第２フレームとを有し、前記第１フレームは、前記並列配置された複数の像担持体のうちの最下流の１つの像担持体に対応する位置にあるフレームであり、前記第２フレームは、前記並列配置された複数の像担持体のうちの前記最下流の１つの像担持体よりも上流側にある像担持体に対応する位置にあるフレームであり、該第２フレームが前記固定フレームに揺動可能に支持されており、前記固定フレームには前記第２フレームを揺動させるための偏心カムが軸支されるとともに、前記転写搬送ベルト装置の無端ベルトが掛け渡される支持ローラのうちの一つであって前記レジスト手段からの記録材入口部に配置される入口ローラ及び該入口ローラに対向配置される対向ローラが、前記偏心カムと同軸上に設けられたブラケットを介して揺動可能に支持されており、前記偏心カムの回動により前記第２フレームを揺動させるとともに前記ブラケットを介して前記入口ローラ及び前記対向ローラが揺動され、前記無端ベルトの前記複数の像担持体に対向する走行辺が前記複数の像担持体の全てに接触された場合に前記転写搬送ベルト装置による記録材搬送方向と前記レジスト手段による記録材送出方向がほぼ同一となるように構成されていることにより解決される。
【０００６】
また、前記の課題を解決するため、本発明は、前記第２フレームに、前記無端ベルトをベルトループの内側から付勢する補助ローラが装着されていることを提案する。
【０００７】
また、前記の課題を解決するため、本発明は、前記第１フレームに前記無端ベルトを駆動する駆動ローラが支持され、該駆動ローラが前記複数の像担持体の下流側に配置されることを提案する。
【０００８】
また、前記の課題を解決するため、本発明は、前記転写搬送ベルト装置の姿勢を検出する検出手段を有し、該検出手段の出力に基づいて前記転写搬送ベルト装置の姿勢を制御することを提案する。
【０００９】
また、前記の課題を解決するため、本発明は、前記対向ローラに記録材吸着バイアスが印加されることを提案する。
【００１０】
また、前記の課題を解決するため、本発明は、前記転写搬送ベルト装置は、記録材入口側と出口側で高さが異なるよう、装置本体内で斜め配置されていることを提案する。
【００１１】
【発明の実施の形態】
以下、本発明の実施の形態を図面に基づいて説明する。
【００１２】
図１は、本発明に係る画像形成装置の一例であるカラーレーザプリンタの概略構成を示す断面図である。このカラーレーザプリンタ１は、装置本体の下部に給紙部２が設けられ、その上方に作像部３を配置した構成となっている。装置上面には排紙トレイ６０が形成されている。図に破線で記録紙の搬送経路を示すように、給紙部２から用紙を給送し、作像部３にて形成した画像を用紙上に転写し、定着装置５０で定着して排紙トレイ６０に排紙する。装置側面からは手差し給紙（符号：ｃ）が可能であり、また、装置側面への排紙（符号：ｄ）も可能である。
【００１３】
作像部３には、給紙側を下に、排紙側を上となるように傾斜して配置された転写搬送ベルト装置２０が配設されている。この転写搬送ベルト装置２０の上部走行辺に沿って、下から順にマゼンタ（Ｍ）、シアン（Ｃ）、イエロー（Ｙ）、黒（Ｂｋ）用の４つの作像ユニット４Ｍ，４Ｃ，４Ｙ，４Ｂｋが並んで配置されている。
【００１４】
各作像ユニット４Ｍ，４Ｃ，４Ｙ，４Ｂｋの構成は同じであるので、シアン用の作像ユニット４Ｃを例に説明する。
【００１５】
図１および図２に示すように、各作像ユニット４Ｍ，４Ｃ，４Ｙ，４Ｂｋは、像担持体としての感光体ドラム５を備えており、該感光体ドラム５は図示していない駆動手段によって図中時計方向へ回転駆動される。感光体ドラム５の回りには帯電ロール６、現像装置１０、クリーニング装置９等が設けられている。現像装置１０はトナーとキャリアからなる２成分現像装置であって、現像ロール１１に担持したトナーを感光体ドラム５に付与する。光書込み装置８からのレーザ光は、帯電ロール６と現像ロール１１の間から感光体ドラム５に照射される。なお、図２において、各色作像ユニットの部材には、符号の後に各色を示すアルファベット（Ｍ，Ｃ，Ｙ）を付してある。
【００１６】
図３は、転写搬送ベルト装置２０の構成を示す側面図である。
この図に示すように、無端ループ状の転写搬送ベルト２１は、駆動ローラ２２、従動ローラ２３及び２つの対向ローラ２４，２４に巻回張架されている。従動ローラ２３には図示しないスプリングが付設され、転写搬送ベルト２１にテンションが掛けられている。また、転写搬送ベルト２１の上部走行辺に沿って４つの補助ローラ２５が設けられ、各補助ローラ２５はコイルスプリング２６によってベルト２１に付勢されている。各補助ローラ２５のやや上側に転写ブラシ２８がベルト２１に接触するように配置されている。４つの転写ブラシ２８の位置は、各色作像ユニットの感光体ドラム５に夫々対向する位置である。この転写ブラシ２８には、本例では７ｋＶの転写バイアスが印加される。そして、従動ローラ２３の上部にはベルト２１を挟んで紙吸着ローラ２７が設けられている。記録紙は従動ローラ２３と吸着ローラ２７の間からベルト２１上に送り出され、吸着ローラ２７に印加されたバイアス電圧によって静電的に転写搬送ベルト２１上に吸着された状態で搬送される。
【００１７】
図４に示すように、転写搬送ベルト装置２０のフレームは、固定フレーム４１、Ｂｋ用フレーム４２及び３色用フレーム４３から構成されている。固定フレーム４１は装置の手前側と奥側にあり、Ｂｋ用フレーム４２及び３色用フレーム４３を支持しているが、図では奥側フレームのみを示し、手前側フレームは図示を省略している。Ｂｋ用フレーム４２は作像ユニット４Ｂｋに対応する位置にある上部フレームであり、駆動ローラ２２、上側の対向ローラ２４などが支持されている。Ｂｋ用フレーム４２は駆動ローラ２２の軸を中心に回動可能となっている。３色用フレーム４３は作像ユニット４Ｍ，４Ｃ，４Ｙに対応する位置にあるフレームであり、下３つの転写ブラシ２８及び補助ローラ２５などが取り付けられている。その３色用フレーム４３は軸２９を中心として揺動可能に固定フレーム４１に支持されている。そして、固定フレーム４１には偏心カム３０が軸支されている。符号３１は、偏心カム３０の軸である。さらに、偏心カムの軸３１にはブラケット３８（図５）が揺動可能に支持されており、このブラケット３８に従動ローラ２３及び吸着ローラ２７が支持されている。なお、下側の対向ローラ２４は固定フレーム４１に装着されている。
【００１８】
図５は、転写搬送ベルト装置２０の接離機構を示す斜視図である。図５では、図の上側がプリンタ本体の手前側、図の下側がプリンタ本体の奥側となっている。したがって、図３は、図５に示す矢印Ｓの方向から見た転写搬送ベルト装置２０の側面図である。
【００１９】
図５に示すように、軸３１の両側に偏心カム３０が固定的に装着されている。装置奥側の偏心カム３０の外側にはジョイント３２が固定されている。このジョイント３２に嵌まり込むような凸部を持った中継軸３３があり、この中継軸３３にギヤ３４が固定的に装着されている。ギヤ３４にはクラッチ３５が付設され、図示しないモータからの駆動力をギヤ３４に伝達又は伝達解除する。ジョイント３２にはフィラー部３６が設けられ、そのフィラー部３６を検知できるようにフォトインタラプタ３７が設けられている。また、中継軸３３には、従動ローラ２３及び吸着ローラ２７を支持するためのブラケット３８が嵌装される。
【００２０】
図５において、図示しないモータによりギヤ３４を回転させると、中継軸３３からジョイント３２を介して軸３１及び偏心カム３０が回転され、上述した転写搬送ベルト装置２０の３色用フレームを上昇又は下降させる。このとき、ブラケット３８が揺動されることによって従動ローラ２３及び吸着ローラ２７も上昇又は下降する。フィラー部３６をフォトインタラプタ３７で検出することによって偏心カム３０の状態を検知し、転写搬送ベルト装置２０の姿勢を制御する。
【００２１】
このような構成の転写搬送ベルト装置２０において、図３を参照すると、偏心カム３０の回動により、３色用フレーム４３が軸２９を中心に上下に揺動される。３色用フレーム４３の上下に伴ってブラケット３８も上下し、従動ローラ２３及び吸着ローラ２７は図に実線で示す位置と破線で示す位置とに移動する。
【００２２】
したがって、偏心カム３０が回転して図に破線で示す位置を取ると、偏心カム３０が３色用フレーム４３を押し上げることによって従動ローラ２３及び吸着ローラ２７を支持するブラケットが上昇し、従動ローラ２３及び吸着ローラ２７が図に破線で示す位置となる。これにより、転写搬送ベルト２１の上部走行辺が破線で示すように上昇され、４色の作像ユニット４Ｍ，４Ｃ，４Ｙ，４Ｂｋ（の感光体ドラム５）に接触する。このとき、３色用フレーム４３に装着された下３つの補助ローラ２５も上昇して、転写搬送ベルト２１の上部走行辺をベルトループの内側から付勢する。
【００２３】
また、偏心カム３０が回転して図に実線で示す位置を取ると、３色用フレーム４３が下降し、３色用フレーム４３に支持された上記ブラケット３８も下降して従動ローラ２３及び吸着ローラ２７が図に実線で示す位置となる。これにより、転写搬送ベルト２１は図に実線で示す状態となり、転写搬送ベルト２１の上部走行辺はその上側で所定範囲のみを黒用の作像ユニット４Ｂｋに接触させ、作像ユニット４Ｍ，４Ｃ，４Ｙからは離間する。
【００２４】
すなわち、本実施形態において、カラープリントの場合は転写搬送ベルト２１が４色の作像ユニット４Ｍ，４Ｃ，４Ｙ，４Ｂｋ（の感光体ドラム）に接触する状態に保持され、黒単色プリントの場合は作像ユニット４Ｂｋ（の感光体ドラム）のみに転写搬送ベルト２１が接触する状態を保持するようになっている。
【００２５】
このように、一般には最も使用頻度の高い黒単色プリント（モノクロモード）の場合に、転写搬送ベルト２１を黒作像ユニット４Ｂｋ（の感光体ドラム）のみに接触させ、他の色の作像ユニット４Ｍ，４Ｃ，４Ｙ（の感光体ドラム）からベルト２１を離間させることによって、モノクロ画像の形成には必要のない作像ユニット４Ｍ，４Ｃ，４Ｙを作動させなくとも済むので、作像ユニット４Ｍ，４Ｃ，４Ｙに係る部分、特にその感光体ドラムの寿命を低下させることがない。
【００２６】
なお、転写搬送ベルト装置２０のＢｋ用フレーム４２は偏心カム３０によって揺動されず、本実施形態では、Ｂｋ用フレーム４２と３色用フレーム４３が別個に変位するように構成されている。このため、黒白モード（モノカラー）時に３色用フレーム４３を回動させて作像ユニット４Ｍ，４Ｃ，４Ｙに対向する部分を下降させた場合でも、転写搬送ベルト２１の黒作像ユニット４Ｂｋに対応する部分は黒作像ユニット４Ｂｋの感光体ドラム５Ｂｋに対して適切な位置を保持することができ、適正な画像の転写が可能である。もちろん、カラーモード時にも黒作像ユニット４Ｂｋに対応する部分は適切な位置を保持できることは言うまでもない。
【００２７】
次に、本実施形態におけるプリント動作について図１を参照して説明する。
マゼンタ用の作像ユニット４Ｍにおいて、感光体ドラム５の表面は帯電ロール６によって所定の電位に均一に帯電される。露光装置８においては、パソコン等のホストマシーンより送られた画像データに基づいて図示しないＬＤ（レーザダイオード）を駆動してレーザ光をポリゴンミラー７に照射し、シリンダーレンズ等を介して反射光を感光体ドラム５Ｍ上に導き、感光体ドラム５Ｍ上にマゼンタトナーで現像すべき静電潜像を形成する。この潜像に現像装置１０からトナーが付与され、マゼンタトナーの可視像となる。
【００２８】
一方、給紙部２からは転写材として指定された用紙が給紙され、給紙された用紙は転写搬送ベルト装置２０の搬送方向上流側に設けられたレジストローラ対４０に一旦突き当てられる。カラープリント時、転写搬送ベルト装置２０では、上述したように転写搬送ベルト２１が図３に破線で示すように押し上げられている。そして、用紙は上記可視像に同期するようにしてベルト２１上に給送され、該ベルトの走行により感光体ドラム５Ｍに対向する転写位置に到る。この転写位置では、転写ベルト２０の裏面側に配置された転写ブラシ２８の作用によりマゼンタトナーの可視像が用紙に転写される。
【００２９】
マゼンタ色の場合と同様にして、他の作像ユニット４Ｃ，４Ｙ，４Ｂｋにおいてもそれぞれの感光体ドラム５の表面に各トナーによる可視像が形成され、これら可視像は転写搬送ベルト２１によって搬送される用紙が各転写位置に到来するごとに重ね転写される。したがって、本実施形態のカラープリンタはフルカラーの画像がモノクロとほぼ同様な短時間で用紙に重ね転写される。
【００３０】
いっぽう、モノクロプリントの場合は、転写搬送ベルト装置２０では、上述したように転写搬送ベルト２１が図３に実線で示すように下降されている。そして、黒用の作像ユニット４Ｂｋのみにおいて感光体ドラム５の表面にブラックトナーの可視像が形成され、このＢｋの可視像に同期するようにしてベルト２１上に給送された用紙に対してＢｋトナー像が転写される。
【００３１】
ところで、本実施形態では上述したように、カラーモードの場合には全ての作像ユニットの感光体ドラムに転写搬送ベルト２１が接触され、モノクロモードの場合には下３つの作像ユニット（４Ｍ，４Ｃ，４Ｙ）の感光体ドラムからベルト２１が離間される。全ての感光体ドラムが搬送ベルトと接触するカラーモードの方が、各感光体ドラムと搬送ベルトで用紙を挟持して搬送することができるので（搬送ベルトと感光体を接触させる場合、感光体の損傷を防ぐために感光体も回転駆動される）、用紙搬送に関しては有利である。しかし本実施形態では、上述したように紙吸着ローラからバイアス電圧を印加して用紙を静電的に転写搬送ベルト２１に吸着させるので、下３つの感光体ドラムからベルト２１が離間されているモノクロモードにおいても、安定した用紙搬送を可能としている。
【００３２】
トナー像転写後の用紙は、転写搬送ベルト２１から分離されて、定着装置５０により定着される。本例の定着装置は、ベルト定着方式であって、剛性のある加圧ローラ５１上に比較的柔らかい、例えばスポンジローラからなる定着ローラ５２が圧接され、定着ローラ５２と、その用紙搬送方向上流側に配置された加熱ローラ５３とにベルト５４が巻き掛けられている。このベルト定着方式は、ローラ定着と比べてウォーミングアップ時間が短い等の利点を有するものである。
【００３３】
定着を終えた用紙は、装置本体の上面に設けられた排紙トレイ６０に排紙される。このとき用紙は反転されて裏面排紙される。プリンタにとって裏面排紙は、プリントをページ順に揃えるためのほぼ必須の条件となっている。
【００３４】
本実施形態のカラープリンタは、４個の作像ユニット４Ｍ，４Ｃ，４Ｙ，４Ｂｋを設けて、用紙を転写ベルト装置２０で搬送する間に順次各色のトナー像を重ね転写するため、１つの作像ユニットで中間転写体上にトナー像を重ね転写し、その後用紙に転写する方式のものと比べて作像時間を大幅に短縮するすることができる。
【００３５】
本実施形態では、転写搬送ベルト装置２０を斜め配置とし、その傾斜に沿って各色作像ユニット４Ｍ，４Ｃ，４Ｙ，４Ｂｋを配設するレイアウトであるため、本体下部に給紙部を、本体上部に排紙部を設けることにより、用紙搬送パスを短くすることができ、プリント時間の短縮等に有利である。また、このレイアウトの場合、装置隅部に三角形の空間が形成されるが、形状の自由度が高いトナー収納容器７０や廃トナータンク８０を三角形の空間に合わせた形状で設けることにより、デッドスペースの発生を防止している。
【００３６】
ところで、本実施形態では、図６に示すように、レジスト駆動ローラ４０ａとレジスト従動ローラ４０ｂとからなるレジストローラ対４０による用紙送出方向Ａと、転写搬送ベルト装置２０による用紙搬送方向Ｂとがほぼ同一となるように構成している。このため、レジストローラ対４０から転写搬送ベルト装置２０に用紙が移行する過程において、用紙の搬送に悪影響を及ぼすことがなく、用紙に対する画像位置のバラツキ発生を防いで高品質な画像を得ることができる。特に、本実施形態では、カラープリント時に上記用紙送出方向Ａと用紙搬送方向Ｂとがほぼ同一となるように構成しているため、搬送される用紙に各色画像を重ね転写する場合の色ずれが防止され、高品質なカラー画像を得ることができる。
【００３７】
仮に、レジストローラ対による用紙送出方向と転写搬送ベルト装置による用紙搬送方向にズレがある場合、用紙が転写搬送ベルト装置とレジストローラの両者によって保持された状態では用紙の途中に曲がりが生じている。そのため、例えば、腰の強い記録材などでは記録材の後端がレジストローラから抜けた瞬間に、用紙後端部が転写搬送ベルト装置による用紙搬送方向に倣おうとするため、わずかな振動などが生じることがある。これにより、記録材に対する画像位置にバラツキが生じる場合があり、特にカラー画像形成においてはミクロン単位での色合わせ（８０μｍ程度）が必要であり、色ずれという大きな問題となる。しかし、本実施形態では、上述したように、カラープリント時に上記用紙送出方向Ａと用紙搬送方向Ｂとがほぼ同一となるように構成しているため、色ずれを防いだ高品質な画像を得ることができる。
【００３８】
特に、本実施形態のような、複数の作像ユニットを並べて配置し、用紙を搬送しながら各色画像を順次重ね転写する方式のカラー画像形成装置において、記録材に対する画像位置のバラツキを防ぐことができるので、この方式のカラー画像形成装置に特に顕著な効果を奏するものである。
【００３９】
また、本実施形態のように、転写搬送ベルト装置２０を斜め配置とし、その傾斜に沿って各色作像ユニットを配設するレイアウトの場合、用紙送出方向Ａと用紙搬送方向Ｂとをほぼ同一となるように構成することで、転写搬送ベルト装置２０に近接してレジストローラ対４０を配置することができるので、この部分でのスペースをコンパクトにすることが可能となり、装置の小型化に寄与することができる。
【００４０】
以上、本発明を図示の実施形態により説明したが、本発明はこれに限定されるものではない。例えば、転写搬送ベルト装置の姿勢を制御する機構は適宜な構成を採用することができる。また、転写搬送ベルト装置の姿勢を検出する手段も適宜な構成を採用することができる。また、記録材吸着バイアスを印加する手段も接触式に限らず非接触式を含め任意の構成でよい。さらに、作像ユニットの数は４つに限定されるものではない。もちろん、画像形成装置としてはプリンタ以外の複写機やファクシミリであってもかまわない。
【００４１】
【発明の効果】
以上説明したように、本発明の画像形成装置によれば、色ズレが生じると問題の大きいカラーモードの場合に、レジスト手段から転写搬送ベルト装置への記録材の受け渡し過程で記録材の搬送に影響を及ぼすことがなく、記録材に対する画像位置のバラツキを防いで高品質なカラー画像を得ることができる。また、転写搬送ベルト装置とレジスト手段とを近接配置することが可能となり、装置スペースを小さくすることができる。
【００４２】
請求項２の構成により、無端ベルトを像担持体に接触させたときにベルト走行辺をベルトループ内側から付勢することができる。
【００４４】
請求項４の構成により、転写搬送ベルト装置の姿勢を検出する検出手段を有し、その検出手段の出力に基づいて転写搬送ベルト装置の姿勢を制御するので、転写搬送ベルト装置の姿勢を確実かつ適切に制御することができる。
【００４５】
請求項５の構成により、対向ローラに記録材吸着バイアスが印加されるので、常に安定した用紙搬送を行うことができる。特に、いくつかの像担持体と転写搬送ベルトを離間させるモノクロモードにおける用紙搬送を安定させることができる。
【００４６】
請求項６の構成により、転写搬送ベルト装置は、記録材入口側と出口側で高さが異なるよう、装置本体内で斜め配置されているので、用紙搬送パスを短くすることができ、プリント時間の短縮等に有利である。また、転写搬送ベルト装置を斜め配置した場合のレジスト手段から転写搬送ベルト装置への記録材の受け渡しを適切に行なうことができる。
【図面の簡単な説明】
【図１】本発明に係る画像形成装置の一例であるカラーレーザプリンタの概略構成を示す断面図である。
【図２】作像ユニットの詳細を示す部分拡大図である。
【図３】転写搬送ベルト装置の構成を示す側面図である。
【図４】その転写搬送ベルト装置のフレーム構成を示す断面図である。
【図５】転写搬送ベルト装置の接離機構を示す斜視図である。
【図６】本発明の作用を説明するための部分詳細図である。
【符号の説明】
１      カラーレーザプリンタ
２      給紙部
３      作像部
４      作像ユニット
５      感光体ドラム（像担持体）
８      光書込み装置
２０    転写搬送ベルト装置
２１    転写搬送ベルト
３０    偏心カム
４０    レジストローラ対
【図１】
0004438978.tif 000002
【図２】
0004438978.tif 000003
【図３】
0004438978.tif 000004
【図４】
0004438978.tif 000005
【図５】
0004438978.tif 000006
【図６】
0004438978.tif 000007